(57)【要約】【課題】端末のサイズやコストに影響を与えずにカバー部材の閉め忘れを効果的に報知できる携帯情報端末、報知方法、及びプログラムを提供すること。【解決手段】開口部を有する筐体と、開口部を塞ぐとともに、開口部に対して着脱可能なカバー部材と、筐体に内蔵されるとともに、開口部にて外部機器と着脱可能かつ電気的接続可能なインタフェース部と、を備えた携帯情報端末において、インタフェース部を使用するソフトウェアを起動しているか否かを判断し（ステップＣ１）、操作入力部にて一定時間無操作であるか否かを判断し（ステップＣ２）、ソフトウェアを起動し、かつ、一定時間無操作であるときに、報知手段にて報知を実施させる（ステップＣ３）。【選択図】図１１
2013074359.tif 000002
【特許請求の範囲】
【請求項１】
開口部を有する筐体と、
前記開口部を塞ぐとともに、前記開口部に対して着脱可能なカバー部材と、
前記筐体に内蔵されるとともに、前記開口部にて外部機器と着脱可能かつ電気的接続可能なインタフェース部と、
前記筐体に内蔵されるとともに、ユーザの操作を入力する操作入力部と、
前記筐体に内蔵されるとともに、情報処理及び制御処理を行う制御部と、
前記筐体に内蔵されるとともに、報知を行う報知手段と、
を備え、
前記制御部は、
前記インタフェース部を使用するソフトウェアを起動しているか否かを判断する機能と、
前記操作入力部にて一定時間無操作であるか否かを判断する機能と、
前記ソフトウェアを起動し、かつ、一定時間無操作であるときに、前記報知手段にて報知を実施させる機能と、
を有することを特徴とする携帯情報端末。
【請求項２】
前記筐体は、第１筐体と第２筐体とがヒンジ部を介して折畳み可能に接続された構成となっており、
前記第１筐体と前記第２筐体との開状態及び閉状態を検出する開閉検出部を備え、
前記制御部は、
前記開閉検出部にて前記第１筐体と前記第２筐体との開閉状態の変化が検出されたか否かを判断する機能と、
前記ソフトウェアを起動し、かつ、開閉状態の変化が検出されたときに、前記報知手段にて報知を実施させる機能と、
を有することを特徴とする請求項１記載の携帯情報端末。
【請求項３】
開口部を有する筐体と、
前記開口部を塞ぐとともに、前記開口部に対して着脱可能なカバー部材と、
前記筐体に内蔵されるとともに、前記開口部にて外部機器と着脱可能かつ電気的接続可能なインタフェース部と、
前記筐体に内蔵されるとともに、ユーザの操作を入力する操作入力部と、
前記筐体に内蔵されるとともに、情報処理及び制御処理を行う制御部と、
前記筐体に内蔵されるとともに、報知を行う報知手段と、
を備え、
前記制御部は、
前記インタフェース部を使用するソフトウェアを起動しているか否かを判断する機能と、
前記ソフトウェアを起動しているときに、前記報知手段にて報知を実施させる機能と、
前記報知を実施しているときに前記操作入力部にて一時停止操作があったときに前記報知を一時的に停止させる機能と、
を有することを特徴とする携帯情報端末。
【請求項４】
前記制御部は、一時停止操作により前記報知を一時的に停止させてから一定時間経過したときに前記報知手段にて報知を実施させる機能を有することを特徴とする請求項３記載の携帯情報端末。
【請求項５】
前記報知手段は、情報を表示する１又は複数の表示部であり、
前記制御部は、前記報知を実施するときに前記表示部で報知メッセージを表示させることを特徴とする請求項１乃至４のいずれか一に記載の携帯情報端末。
【請求項６】
前記報知手段は、音を出力するスピーカ部、又は、振動を出力するバイブ部であり、
前記制御部は、前記報知を実施するときに前記スピーカ部又は前記バイブ部で所定のパターンの音又は振動を出力させることを特徴とする請求項１乃至５のいずれか一に記載の携帯情報端末。
【請求項７】
開口部を有する筐体と、
前記開口部を塞ぐとともに、前記開口部に対して着脱可能なカバー部材と、
前記筐体に内蔵されるとともに、前記開口部にて外部機器と着脱可能かつ電気的接続可能なインタフェース部と、
前記筐体に内蔵されるとともに、ユーザの操作を入力する操作入力部と、
前記筐体に内蔵されるとともに、情報処理及び制御処理を行う制御部と、
前記筐体に内蔵されるとともに、報知を行う報知手段と、
を備えた携帯情報端末を用いて報知を実施する報知方法であって、
前記制御部において前記インタフェース部を使用するソフトウェアを起動しているか否かを判断する工程と、
前記制御部において前記操作入力部にて一定時間無操作であるか否かを判断する工程と、
前記制御部において前記ソフトウェアを起動し、かつ、一定時間無操作であるときに、前記報知手段にて報知を実施させる工程と、
を含むことを特徴とする報知方法。
【請求項８】
開口部を有する筐体と、
前記開口部を塞ぐとともに、前記開口部に対して着脱可能なカバー部材と、
前記筐体に内蔵されるとともに、前記開口部にて外部機器と着脱可能かつ電気的接続可能なインタフェース部と、
前記筐体に内蔵されるとともに、ユーザの操作を入力する操作入力部と、
前記筐体に内蔵されるとともに、情報処理及び制御処理を行う制御部と、
前記筐体に内蔵されるとともに、報知を行う報知手段と、
を備えた携帯情報端末を用いて報知を実施する報知方法であって、
前記制御部において前記インタフェース部を使用するソフトウェアを起動しているか否かを判断する工程と、
前記制御部において前記ソフトウェアを起動しているときに、前記報知手段にて報知を実施させる工程と、
前記制御部において前記報知を実施しているときに前記操作入力部にて一時停止操作があったときに前記報知を一時的に停止させる工程と、
を含むことを特徴とする報知方法。
【請求項９】
開口部を有する筐体と、
前記開口部を塞ぐとともに、前記開口部に対して着脱可能なカバー部材と、
前記筐体に内蔵されるとともに、前記開口部にて外部機器と着脱可能かつ電気的接続可能なインタフェース部と、
前記筐体に内蔵されるとともに、ユーザの操作を入力する操作入力部と、
前記筐体に内蔵されるとともに、情報処理及び制御処理を行う制御部と、
前記筐体に内蔵されるとともに、報知を行う報知手段と、
を備えた携帯情報端末を用いて報知を実施させるプログラムであって、
前記インタフェース部を使用するソフトウェアを起動しているか否かを判断するステップと、
前記操作入力部にて一定時間無操作であるか否かを判断するステップと、
前記ソフトウェアを起動し、かつ、一定時間無操作であるときに、前記報知手段にて報知を実施させるステップと、
を実行させることを特徴とするプログラム。
【請求項１０】
開口部を有する筐体と、
前記開口部を塞ぐとともに、前記開口部に対して着脱可能なカバー部材と、
前記筐体に内蔵されるとともに、前記開口部にて外部機器と着脱可能かつ電気的接続可能なインタフェース部と、
前記筐体に内蔵されるとともに、ユーザの操作を入力する操作入力部と、
前記筐体に内蔵されるとともに、情報処理及び制御処理を行う制御部と、
前記筐体に内蔵されるとともに、報知を行う報知手段と、
を備えた携帯情報端末を用いて報知を実施させるプログラムであって、
前記インタフェース部を使用するソフトウェアを起動しているか否かを判断するステップと、
前記ソフトウェアを起動しているときに、前記報知手段にて報知を実施させるステップと、
前記報知を実施しているときに前記操作入力部にて一時停止操作があったときに前記報知を一時的に停止させるステップと、
を実行させることを特徴とするプログラム。
【発明の詳細な説明】
【技術分野】
【０００１】
本発明は、防水性の低下を報知する機能を有する携帯情報端末、報知方法、及びプログラムに関する。
【背景技術】
【０００２】
近年の携帯情報端末は、防水機能を有する場合が多くなっている。例えば、外部機器と着脱可能に接続可能なインタフェース部（例えば、コネクタ）を内蔵する筐体を有する携帯情報端末において、筐体におけるインタフェース部が配された部分に設けられた開口部をカバー部材で被覆することによって、筐体内に内蔵された電子部品を防水する構成となっている。カバー部材は、筐体に対して着脱可能な構成となっており、筐体から外しても脱離しないように可撓性の接続部で筐体に接続されている。
【０００３】
しかしながら、以上のような構成の携帯情報端末では、カバー部材が筐体に装着された場合のみ防水機能を維持できるので、端末の使用者が気付かぬままカバー部材を筐体から外したままにしておくと、水没等で筐体内に水が浸入して電子部品が濡れてしまい、端末の故障を引き起こす可能性がある。
【０００４】
そこで、カバー部材の閉め忘れによる筐体内部の水の浸入を未然に防止するために、カバー部材が筐体に装着されているか否かをセンサ、スイッチ等の検出手段で監視し、カバー部材が筐体に装着されていないときに検出手段で検出されたときにスピーカ、表示装置などの報知手段で報知（注意喚起）するようにしたものが提案されている（例えば、特許文献１、２参照）。
【先行技術文献】
【特許文献】
【０００５】
【特許文献１】特開２００９−１５９４０３号公報
【特許文献２】特開２００９−２１３０７３号公報
【発明の概要】
【発明が解決しようとする課題】
【０００６】
以下の分析は、本願発明者により与えられる。
【０００７】
ところが、特許文献１、２に記載の携帯情報端末のように検出手段を具備させると、端末のサイズやコストに大きな影響をもたらすおそれがある。一方で、カバー部材の閉め忘れの状態にあるときに報知手段で常に注意喚起を行うと、使用者は定常的な注意喚起に慣れてしまい、かえって注意を払わなくなってしまう可能性がある。
【０００８】
本発明の主な課題は、端末のサイズやコストに影響を与えずにカバー部材の閉め忘れを効果的に報知できる携帯情報端末、報知方法、及びプログラムを提供することである。
【課題を解決するための手段】
【０００９】
本発明の第１の視点においては、携帯情報端末において、開口部を有する筐体と、前記開口部を塞ぐとともに、前記開口部に対して着脱可能なカバー部材と、前記筐体に内蔵されるとともに、前記開口部にて外部機器と着脱可能かつ電気的接続可能なインタフェース部と、前記筐体に内蔵されるとともに、ユーザの操作を入力する操作入力部と、前記筐体に内蔵されるとともに、情報処理及び制御処理を行う制御部と、前記筐体に内蔵されるとともに、報知を行う報知手段と、を備え、前記制御部は、前記インタフェース部を使用するソフトウェアを起動しているか否かを判断する機能と、前記操作入力部にて一定時間無操作であるか否かを判断する機能と、前記ソフトウェアを起動し、かつ、一定時間無操作であるときに、前記報知手段にて報知を実施させる機能と、を有することを特徴とする。
【００１０】
本発明の第２の視点においては、携帯情報端末において、開口部を有する筐体と、前記開口部を塞ぐとともに、前記開口部に対して着脱可能なカバー部材と、前記筐体に内蔵されるとともに、前記開口部にて外部機器と着脱可能かつ電気的接続可能なインタフェース部と、前記筐体に内蔵されるとともに、ユーザの操作を入力する操作入力部と、前記筐体に内蔵されるとともに、情報処理及び制御処理を行う制御部と、前記筐体に内蔵されるとともに、報知を行う報知手段と、を備え、前記制御部は、前記インタフェース部を使用するソフトウェアを起動しているか否かを判断する機能と、前記ソフトウェアを起動しているときに、前記報知手段にて報知を実施させる機能と、前記報知を実施しているときに前記操作入力部にて一時停止操作があったときに前記報知を一時的に停止させる機能と、を有することを特徴とする。
【００１１】
本発明の第３の視点においては、開口部を有する筐体と、前記開口部を塞ぐとともに、前記開口部に対して着脱可能なカバー部材と、前記筐体に内蔵されるとともに、前記開口部にて外部機器と着脱可能かつ電気的接続可能なインタフェース部と、前記筐体に内蔵されるとともに、ユーザの操作を入力する操作入力部と、前記筐体に内蔵されるとともに、情報処理及び制御処理を行う制御部と、前記筐体に内蔵されるとともに、報知を行う報知手段と、を備えた携帯情報端末を用いて報知を実施する報知方法であって、前記制御部において前記インタフェース部を使用するソフトウェアを起動しているか否かを判断する工程と、前記制御部において前記操作入力部にて一定時間無操作であるか否かを判断する工程と、前記制御部において前記ソフトウェアを起動し、かつ、一定時間無操作であるときに、前記報知手段にて報知を実施させる工程と、を含むことを特徴とする。
【００１２】
本発明の第４の視点においては、開口部を有する筐体と、前記開口部を塞ぐとともに、前記開口部に対して着脱可能なカバー部材と、前記筐体に内蔵されるとともに、前記開口部にて外部機器と着脱可能かつ電気的接続可能なインタフェース部と、前記筐体に内蔵されるとともに、ユーザの操作を入力する操作入力部と、前記筐体に内蔵されるとともに、情報処理及び制御処理を行う制御部と、前記筐体に内蔵されるとともに、報知を行う報知手段と、を備えた携帯情報端末を用いて報知を実施する報知方法であって、前記制御部において前記インタフェース部を使用するソフトウェアを起動しているか否かを判断する工程と、前記制御部において前記ソフトウェアを起動しているときに、前記報知手段にて報知を実施させる工程と、前記制御部において前記報知を実施しているときに前記操作入力部にて一時停止操作があったときに前記報知を一時的に停止させる工程と、を含むことを特徴とする。
【００１３】
本発明の第５の視点においては、開口部を有する筐体と、前記開口部を塞ぐとともに、前記開口部に対して着脱可能なカバー部材と、前記筐体に内蔵されるとともに、前記開口部にて外部機器と着脱可能かつ電気的接続可能なインタフェース部と、前記筐体に内蔵されるとともに、ユーザの操作を入力する操作入力部と、前記筐体に内蔵されるとともに、情報処理及び制御処理を行う制御部と、前記筐体に内蔵されるとともに、報知を行う報知手段と、を備えた携帯情報端末を用いて報知を実施させるプログラムであって、前記インタフェース部を使用するソフトウェアを起動しているか否かを判断するステップと、前記操作入力部にて一定時間無操作であるか否かを判断するステップと、前記ソフトウェアを起動し、かつ、一定時間無操作であるときに、前記報知手段にて報知を実施させるステップと、を実行させることを特徴とする。
【００１４】
本発明の第６の視点においては、開口部を有する筐体と、前記開口部を塞ぐとともに、前記開口部に対して着脱可能なカバー部材と、前記筐体に内蔵されるとともに、前記開口部にて外部機器と着脱可能かつ電気的接続可能なインタフェース部と、前記筐体に内蔵されるとともに、ユーザの操作を入力する操作入力部と、前記筐体に内蔵されるとともに、情報処理及び制御処理を行う制御部と、前記筐体に内蔵されるとともに、報知を行う報知手段と、を備えた携帯情報端末を用いて報知を実施させるプログラムであって、前記インタフェース部を使用するソフトウェアを起動しているか否かを判断するステップと、前記ソフトウェアを起動しているときに、前記報知手段にて報知を実施させるステップと、前記報知を実施しているときに前記操作入力部にて一時停止操作があったときに前記報知を一時的に停止させるステップと、を実行させることを特徴とする。
【発明の効果】
【００１５】
本発明によれば、防水機能を有する携帯情報端末に対して、特別なセンサ類を用いずに、インタフェース部を覆うカバー部材が筐体の開口部から外れたままであること（カバー部材の閉め忘れ）を使用者に対して効果的に報知（注意喚起）することができ、防水性能を損ねたまま使用されることを防ぐことができ、端末のサイズやコストに大きなインパクトをもたらすこともない。
【図面の簡単な説明】
【００１６】
【図１】本発明の実施形態１に係る携帯情報端末の外観構成を模式的に示した開状態及び閉状態の平面図である。
【図２】本発明の実施形態１に係る携帯情報端末における第２筐体の開口部の外観構成を模式的に示した斜視図である。
【図３】本発明の実施形態１に係る携帯情報端末の内部構成を模式的に示したブロック図である。
【図４】本発明の実施形態１に係る携帯情報端末におけるインタフェース部の端子配列の一例を示した模式図である。
【図５】本発明の実施形態１に係る携帯情報端末のインタフェース部に接続される外部機器の例を示した模式図である。
【図６】本発明の実施形態１に係る携帯情報端末のカバー部材が外れているときのメインディスプレイの表示の変化を示した模式図である。
【図７】本発明の実施形態１に係る携帯情報端末のカバー部材が外れているときのサブディスプレイの表示の変化を示した模式図である。
【図８】本発明の実施形態１に係る携帯情報端末における制御部の動作を模式的に示したフローチャート図である。
【図９】本発明の実施形態２に係る携帯情報端末における制御部の動作を模式的に示したフローチャート図である。
【図１０】本発明の実施形態３に係る携帯情報端末の構成を模式的に示したブロック図である。
【図１１】本発明の実施形態３に係る携帯情報端末の動作を模式的に示したフローチャート図である。
【発明を実施するための形態】
【００１７】
本発明の実施形態１に係る携帯情報端末について図面を用いて説明する。図１は、本発明の実施形態１に係る携帯情報端末の外観構成を模式的に示した開状態及び閉状態の平面図である。図２は、本発明の実施形態１に係る携帯情報端末における第２筐体の開口部の外観構成を模式的に示した斜視図である。図３は、本発明の実施形態１に係る携帯情報端末の内部構成を模式的に示したブロック図である。図４は、本発明の実施形態１に係る携帯情報端末におけるインタフェース部の端子配列の一例を示した模式図である。図５は、本発明の実施形態１に係る携帯情報端末のインタフェース部に接続される外部機器の例を示した模式図である。図６は、本発明の実施形態１に係る携帯情報端末のカバー部材が外れているときのメインディスプレイの表示の変化を示した模式図である。図７は、本発明の実施形態１に係る携帯情報端末のカバー部材が外れているときのサブディスプレイの表示の変化を示した模式図である。
【００１８】
図１を参照すると、携帯情報端末１は、携帯電話機、スマートフォン等の携帯可能な情報端末である。携帯情報端末１は、外観構成として、第１筐体２と第２筐体３とがヒンジ部４を介して折畳み可能に接続されている。なお、携帯情報端末１は、折畳み式でないものであってもよい。携帯情報端末１は、筐体２、３（ヒンジ部４を含む）において水が浸入するのを防止する機能（防水機能）を有する。
【００１９】
第１筐体２は、前面に文字、画像等が表示されるメインディスプレイ２ａが配されており、背面に文字、画像等が表示されるサブディスプレイ２ｂが配されている。
【００２０】
第２筐体３は、前面に複数のキーが配列されたキー操作部３ａが配されており、側端面にインタフェース部２０を露出するための開口部３ｂが形成されている（図２参照）。第２筐体３は、開口部３ｂにて可撓性の接続部５ａを介してカバー部材５と接続されている。カバー部材５は、開口部３ｂに対して着脱可能に装着される。カバー部材５には、カバー部材５と開口部３ｂとの間の隙間から第２筐体３の内部に水等が浸入するのを防止するためのシール（図示せず）が固定（接着）されている。インタフェース部２０は、開口部３ｂで外部機器（イヤフォン３１、パーソナルコンピュータ３２、ＡＣアダプタ３３）のコネクタ（３１ａ〜３３ａ）と着脱可能に電気的に接続可能である（図２、図５参照）。なお、外部機器３１〜３３は、図５に例示されたものに限らず、補助バッテリ等でもよい。
【００２１】
携帯情報端末１は、ヒンジ部４を回転軸として第１筐体２が第２筐体３に対して回動可能になっている。携帯情報端末１は、第１筐体２のメインディスプレイ２ａが第２筐体３のキー操作部３ａから離れるように開くことで図１の「開状態」となり、第１筐体２のメインディスプレイ２ａが第２筐体３のキー操作部３ａに近づくように閉じることで図１の「閉状態」となる。
【００２２】
携帯情報端末１は、筐体２、３（ヒンジ部４を含む）の内部構成として、第１表示部１１と、第２表示部１２と、スピーカ部１３と、バイブ部１４と、マイク部１５と、開閉検出部１６と、操作入力部１７と、記憶部１８と、通信部１９と、インタフェース部２０と、制御部２１と、を有する（図３参照）。
【００２３】
第１表示部１１は、メインディスプレイ（図１の２ａ）で情報を表示する機能部である。第１表示部１１は、第１筐体（図１の２）と第２筐体（図１の３）が開状態のときに用いられる。
【００２４】
第２表示部１２は、サブディスプレイ（図１の２ｂ）で情報を表示する機能部である。第２表示部１２は、第１筐体（図１の２）と第２筐体（図１の３）が閉状態のときに用いられる。
【００２５】
スピーカ部１３は、電気信号を音に変換して外部に出力する機能部である。
【００２６】
バイブ部１４は、振動を発生する機能部である。
【００２７】
なお、第１表示部１１、第２表示部１２、スピーカ部１３、及びバイブ部１４は、カバー部材（図１の５）が第２筐体（３）に装着されていないことを報知するときに用いる報知手段となる。どの報知手段により報知を行うかは、予め設定しておくことができる。第１表示部１１及び第２表示部１２を用いる場合、報知メッセージ（例えば、「カバー注意！」という文言）を表示させる手法で使用者に対して報知を行うことができる（図６、図７参照）。第１表示部１１や第２表示部１２で報知メッセージを一定時間表示後、消灯するようしにてもよい。スピーカ部１３を用いる場合、メロディ鳴音（報知音）によって報知を行うことができる。バイブ部１４を用いる場合、振動させることで報知を行うことができる。スピーカ部１３やバイブ部１４を用いる場合は、ユーザへ効果的に注意喚起できるよう、通常では用いられないメロディ、もしくはバイブレータ振動パターン（例えば、違和感のあるパターン）を用いることが望ましい。
【００２８】
マイク部１５は、外部の音を電気信号に変換して入力する機能部である。
【００２９】
開閉検出部１６は、携帯情報端末（図１の１）の第１筐体（図１の２）と第２筐体（図１の３）の開状態及び閉状態を検出する機能部である。開閉検出部１６には、例えば、磁石と磁力検出器で構成されたものを用いることができ、閉状態（折り畳まれた状態）で磁石の磁力が磁力検出器で検出されるように筐体内に配置されることで、開閉それぞれの状態が検出できるようにすることができる。
【００３０】
操作入力部１７は、ユーザのキー操作部（図１の３ａ；スイッチ、タッチパネルでも可）の操作（要求）を入力するための機能部である。
【００３１】
記憶部１８は、データ、プログラムなどの情報を記憶する機能部である。記憶部１８は、一時的な情報保持領域としても用いられ、例えば、フラグの状態を保持する。
【００３２】
通信部１９は、無線信号を送受信する機能部である。
【００３３】
インタフェース部２０は、外部機器（図５の３１〜３３、例えば、イヤフォン、パーソナルコンピュータ、ＡＣアダプタ等）と電気的に接続するための機能部である。インタフェース部２０は、第２筐体（図２の３）の開口部（図２の３ｂ）にて外部機器（図５の３１〜３３）のコネクタ（図５の３１ａ〜３３ａ）と着脱可能で電気的接続可能な構成となっており、例えば、多線（多数の信号端子）の電気接触式のコネクタを用いることができる。インタフェース部２０は、カバー部材（図２の５）で覆われるような構成になっており、カバー部材（図２の５）が開口部（図２の３ｂ）に装着された時に外部からの水の浸入を防止（防水）することができる。
【００３４】
インタフェース部２０の具体的な信号線（信号端子）の例としてＡＲＩＢ（社団法人  電波産業会）で規定されているＡＲＩＢ  ＴＲ−Ｔ１２−２７．Ａ１０規定信号線を図４に示す。例えば、外部機器として充電用ＡＣアダプタをインタフェース部２０に接続した場合、図３の５番信号線（Ｐｏｗｅｒ  Ｓｕｐｐｌｙ）にて電力が供給されるため、５番信号線の信号の有無で携帯情報端末１は充電用ＡＣアダプタが装着されたことを検知できる。
【００３５】
制御部２１は、記憶部１８に記憶された所定のプログラムに基づいて、情報処理、及び各機能部の制御を行う。制御部２１は、使用者がインタフェース部２０を使用するソフトウェアを起動中であるか否かを判断する機能を有する。制御部２１は、インタフェース部２０を使用するソフトウェアを起動中のときに、フラグを０から１にする機能を有する。制御部２１は、操作入力部１７にて一定時間無操作であるか否かを判断する機能を有する。制御部２１は、開閉検出部１６からの信号に基づいて筐体（図１の２、３）の開閉操作があったか否かを判断する機能を有する。制御部２１は、所定の条件を満たしたときに、報知手段（図３の１１〜１４）によって報知を実施する機能を有する。
【００３６】
使用者がインタフェース部２０を用いる機能、例えば、イヤフォン（図５の３１）のコネクタ（図５の３１ａ）をインタフェース部２０に接続して音楽再生機能を用いた場合、通常であれば、使用後にイヤフォン（図５の３１）のコネクタ（図５の３１ａ）をインタフェース部２０から外し、カバー部材（図２の５）を開口部（図２の３ａ）に装着するはずである。制御部２１は、カバー部材５を外して使用する機能（ここでは音楽再生機能）が使用されたかどうかを判断し、使用された経緯がある場合は、省電力移行時のメインディスプレイ消灯時、もしくは閉状態移行時の前に、カバー装着確認の警告メッセージを各ディスプレイに一定時間表示する。
【００３７】
次に、本発明の実施形態１に係る携帯情報端末の動作について図面を用いて説明する。図８は、本発明の実施形態１に係る携帯情報端末における制御部の動作を模式的に示したフローチャート図である。なお、外観構成については図１、図２を参照、内部構成については図３を参照されたい。
【００３８】
まず、制御部２１は、カバー部材５を外してインタフェース部２０を使用（外部機器３１〜３３のコネクタ３１ａ〜３３ａをインタフェース部２０に電気的に接続）するソフトウェア（機能）を起動させているかどうかを判断するためのフラグを０に初期化する（ステップＡ１）。
【００３９】
なお、フラグについて、０のときはカバー部材５を外してインタフェース部２０を使用するソフトウェアを起動させていない状態を示し、１のときはカバー部材５を外してインタフェース部２０を使用するソフトウェアを起動させている状態を示す。
【００４０】
また、カバー部材５を外してインタフェース部２０を使用するソフトウェアとして、例えば、音楽再生用ソフトウェア、モバイルデータ通信用ソフトウェア、充電用ソフトウェア等が挙げられる。
【００４１】
ステップＡ１の後、又は、ステップＡ４のＮＯの場合、若しくは、ステップＡ７の後、制御部２１は、カバー部材５を外してインタフェース部２０を使用するソフトウェアを起動中であるか否かを判断する（ステップＡ２）。起動中でない場合（ステップＡ２のＮＯ）、ステップＡ４に進む。
【００４２】
起動中である場合（ステップＡ２のＹＥＳ）、制御部２１は、フラグを１にする（ステップＡ３）。
【００４３】
ステップＡ３の後、又は、ステップＡ２のＮＯの場合、制御部２１は、一定時間無操作状態となったか否か、又は、筐体２、３の開閉状態が変化したか否かを判断する（ステップＡ４）。一定時間無操作状態となっていない場合、又は、筐体２、３の開閉状態が変化していない場合（ステップＡ４のＮＯ）、ステップＡ２に戻る。
【００４４】
ここで、一定時間無操作状態とは、フラグを最初に１にした時（ソフトウェアを起動した時でも可）からフラグが１のまま一定時間、操作入力部１７での操作が行われず、かつ、筐体２、３の開閉状態に変化がない状態をいう。
【００４５】
また、筐体２、３の開閉状態の変化は、開閉検出部１６によって検出され、筐体２、３を図１の開状態から閉状態に変化する場合と、閉状態から開状態に変化する場合の両方の場合が含まれる。
【００４６】
一定時間無操作状態となった場合、又は、筐体２、３の開閉状態が変化した場合（ステップＡ４のＹＥＳ）、制御部２１は、フラグが１となっているか否かを判断する（ステップＡ５）。フラグが１となっていない場合（ステップＡ５のＮＯ）、報知を実施しないで、ステップＡ７に進む。
【００４７】
フラグが１となっている場合（ステップＡ５のＹＥＳ）、制御部２１は、報知を所定時間実施する（ステップＡ６）。
【００４８】
ステップＡ６では、例えば、筐体２、３が開状態でフラグが１のまま一定時間無操作の場合、図６のようにメインディスプレイ２ａに「カバー注意！」等の報知メッセージを所定時間表示し、その後、メインディスプレイ２ａを消灯するようにすることができる。また、筐体２、３が閉状態でフラグが１のまま一定時間無操作の場合、サブディスプレイ２ｂに「カバー注意！」等の報知メッセージを所定時間表示し、その後、サブディスプレイ２ｂを消灯するようにすることができる。また、フラグが１のまま筐体２、３を開状態から閉状態に変化した場合、図７のようにサブディスプレイ２ｂに「カバー注意！」等の報知メッセージを所定時間表示し、その後、サブディスプレイ２ｂを消灯するようにすることができる。さらに、フラグが１のまま筐体２、３を閉状態から開状態に変化した場合、メインディスプレイ２ａに「カバー注意！」等の報知メッセージを所定時間表示し、その後、メインディスプレイ２ａを消灯するようにすることができる。なお、報知の実施では、報知メッセージの表示に限らず、スピーカ部１３で報知音を出力したり、バイブ部１４で振動を出力したりしてもよい。
【００４９】
ステップＡ６の後、又は、ステップＡ５のＮＯの場合、制御部２１は、フラグを０に初期化する（ステップＡ７）。ステップＡ７の後、ステップＡ２に戻る。
【００５０】
実施形態１によれば、防水機能を有する携帯情報端末に対して、特別なセンサ類を用いずに、インタフェース部２０を覆うカバー部材５が筐体３の開口部３ｂから外れたままであること（カバー部材５の閉め忘れ）を使用者に対して効果的に報知（注意喚起）することができ、防水性能を損ねたまま使用されることを防ぐことができ、端末のサイズやコストに大きなインパクトをもたらすこともない。
【００５１】
本発明の実施形態２に係る携帯情報端末について図面を用いて説明する。図９は、本発明の実施形態２に係る携帯情報端末における制御部の動作を模式的に示したフローチャート図である。
【００５２】
実施形態２は、実施形態１の変形例であり、実施形態１のように一定時間無操作、又は、筐体の開閉状態を変化させたタイミングで報知（注意喚起）を行う代わりに、一定間隔で常時、報知を行うようにし、ユーザの操作で報知を明示的に止められるようにしたものである。なお、実施形態２に係る携帯情報端末の外観構成及び内部構成については、実施形態１と同様であるが、実施形態２に係る携帯情報端末（制御部）の動作は、実施形態１と異なる。
【００５３】
制御部（図３の２１に相当）は、記憶部（図３の１８に相当）に記憶された所定のプログラムに基づいて、情報処理、及び各機能部の制御を行う。制御部（図３の２１に相当）は、使用者がインタフェース部（図３の２０に相当）を使用するソフトウェアを起動中であるか否かを判断する機能を有し、起動中である場合に報知を実施する機能を有する。制御部（図３の２１に相当）は、操作入力部（図３の１７に相当）にて一時停止操作又は完全停止操作があったか否かを判断する機能を有し、一時停止操作又は完全停止操作があった場合に報知を停止する機能を有する。制御部（図３の２１に相当）は、一時停止操作により報知を停止してから一定時間経過したか否かを判断する機能を有し、一定時間経過した場合に報知を実施する機能を有する。実施形態２に係る携帯情報端末における制御部（図３の２１に相当）の動作は、以下の通りである。
【００５４】
まず、制御部２１は、カバー部材５を外してインタフェース部２０を使用するソフトウェアを起動中であるか否かを判断する（ステップＢ１）。起動中でない場合（ステップＢ１のＮＯ）、ステップＢ１に戻る。
【００５５】
起動中である場合（ステップＢ１のＹＥＳ）、又は、ステップＢ５のＹＥＳの場合、制御部２１は、報知を実施する（ステップＢ２）。
【００５６】
ここでの報知の実施は、実施形態１と異なり、ユーザの停止操作（一時停止操作、完全停止操作）があるまで実施される。「カバー注意！」等の報知メッセージを表示する場合、筐体２、３が開状態ではメインディスプレイ２ａで表示され、閉状態ではサブディスプレイ２ｂで表示される。なお、報知の実施は、音や振動で行うようにしてもよい。
【００５７】
ステップＢ２の後、又は、ステップＢ６のＮＯの場合、制御部２１は、ユーザによる操作入力部１７での一時停止操作があったか否かを判断する（ステップＢ３）。一時停止操作がない場合（ステップＢ３のＮＯ）、ステップＢ６に進む。
【００５８】
なお、一時停止操作とは、ユーザによる操作入力部１７の操作によって、報知の実施を一時的に停止することを指示することをいう。一時停止操作があった場合、報知を停止し、停止してから一定時間経過すると、再び報知が行われる点で、完全停止操作があった場合と異なる。
【００５９】
一時停止操作があった場合（ステップＢ３のＹＥＳ）、制御部２１は、報知を停止する（ステップＢ４）。
【００６０】
ステップＢ４の後、制御部２１は、直前の報知の停止から一定時間経過したか否かを判断する（ステップＢ５）。一定時間経過していない場合（ステップＢ５のＮＯ）、ステップＢ５に戻る。一定時間経過した場合（ステップＢ５のＹＥＳ）、ステップＢ２に戻る。
【００６１】
一時停止操作がない場合（ステップＢ３のＮＯ）、制御部２１は、ユーザによる操作入力部１７での完全停止操作があったか否かを判断する（ステップＢ６）。完全停止操作がない場合（ステップＢ６のＮＯ）、ステップＢ３に戻る。
【００６２】
なお、完全停止操作とは、ユーザによる操作入力部１７の操作によって、報知の実施を完全に停止することを指示することをいう。完全停止操作があった場合、報知を停止し、停止してから一定時間経過しても報知が行われない点で、一時停止操作があった場合と異なる。
【００６３】
完全停止操作があった場合（ステップＢ６のＹＥＳ）、制御部２１は、報知を停止し（ステップＢ７）、その後、終了する。
【００６４】
実施形態２によれば、実施形態１と同様な効果を奏するとともに、ユーザが完全停止操作を行わない限り、報知が実施（一時停止操作が行われた場合はスヌーズアラームと同様な報知を実施）され続けるので、実施形態１よりも注意喚起効果を高くすることができる。
【００６５】
本発明の実施形態３に係る携帯情報端末について図面を用いて説明する。図１０は、本発明の実施形態３に係る携帯情報端末の構成を模式的に示したブロック図である。
【００６６】
携帯情報端末１は、開口部２３ａを有する筐体２３と、開口部２３ａを塞ぐとともに、開口部２３ａに対して着脱可能なカバー部材５と、筐体２３に内蔵されるとともに、開口部２３ａにて外部機器２４と着脱可能かつ電気的接続可能なインタフェース部２０と、筐体２３に内蔵されるとともに、ユーザの操作を入力する操作入力部１７と、筐体２３に内蔵されるとともに、情報処理及び制御処理を行う制御部２１と、筐体２３に内蔵されるとともに、報知を行う報知手段２２と、を備え、制御部２１は、インタフェース部２０を使用するソフトウェアを起動しているか否かを判断する機能と、操作入力部１７にて一定時間無操作であるか否かを判断する機能と、前記ソフトウェアを起動し、かつ、一定時間無操作であるときに、報知手段２２にて報知を実施させる機能と、を有する。
【００６７】
次に、本発明の実施形態３に係る携帯情報端末の動作（報知方法）について図面を用いて説明する。図１１は、本発明の実施形態３に係る携帯情報端末の動作を模式的に示したフローチャート図である。
【００６８】
携帯情報端末（図１０の１）を用いて報知を実施する報知方法であって、制御部（図１０の２１）においてインタフェース部（図１０の２０）を使用するソフトウェアを起動しているか否かを判断する工程（ステップＣ１）と、制御部（図１０の２１）において操作入力部（図１０の１７）にて一定時間無操作であるか否かを判断する工程（ステップＣ２）と、制御部（図１０の２１）において前記ソフトウェアを起動し、かつ、一定時間無操作であるときに、報知手段（図１０の２２）にて報知を実施させる工程（ステップＣ３）と、を含む。
【００６９】
なお、ステップＣ１〜ステップＣ３は、携帯情報端末（図１０の１）においてプログラムを実行することで行われる。
【００７０】
実施形態３によれば、防水機能を有する携帯情報端末に対して、特別なセンサ類を用いずに、インタフェース部２０を覆うカバー部材５が筐体２３の開口部２３ａから外れたままであること（カバー部材５の閉め忘れ）を使用者に対して効果的に報知（注意喚起）することができ、防水性能を損ねたまま使用されることを防ぐことができ、端末のサイズやコストに大きなインパクトをもたらすこともない。
【００７１】
なお、本出願において図面参照符号を付している場合は、それらは、専ら理解を助けるためのものであり、図示の態様に限定することを意図するものではない。
【００７２】
また、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００７３】
１  携帯情報端末
２  第１筐体（筐体）
２ａ  メインディスプレイ
２ｂ  サブディスプレイ
３  第２筐体（筐体）
３ａ  キー操作部
３ｂ  開口部
４  ヒンジ部
５  カバー部材
５ａ  接続部
１１  第１表示部
１２  第２表示部
１３  スピーカ部
１４  バイブ部
１５  マイク部
１６  開閉検出部
１７  操作入力部
１８  記憶部
１９  通信部
２０  インタフェース部
２１  制御部
２２  報知手段
２３  筐体
２３ａ  開口部
２４  外部機器
３１  イヤフォン（外部機器）
３１ａ  コネクタ
３２  パーソナルコンピュータ（外部機器）
３２ａ  コネクタ
３３  ＡＣアダプタ（外部機器）
３３ａ  コネクタ
【図１】
2013074359.tif 000003
【図２】
2013074359.tif 000004
【図３】
2013074359.tif 000005
【図４】
2013074359.tif 000006
【図５】
2013074359.tif 000007
【図６】
2013074359.tif 000008
【図７】
2013074359.tif 000009
【図８】
2013074359.tif 000010
【図９】
2013074359.tif 000011
【図１０】
2013074359.tif 000012
【図１１】
2013074359.tif 000013